(57)【要約】【課題】本体枠から前面扉を取り外すときの作業性を向上する。【解決手段】前面扉を本体枠に取り付ける場合、操作部３４を操作して操作アーム３１をＣ方向に回転させ、上支軸２５を上ガイド孔２７ａの内部に収容させた状態で、上支軸２５を上扉支持孔２１ａの位置に合わせる。操作部３４の操作を解除すると、上支軸２５は、コイルバネ２８の付勢により上方に移動して上扉支持孔２１ａに挿入される。前面扉を本体枠から取り外す場合には、前面扉を開放した後、操作部３４を操作して操作アーム３１をＡ方向に回転させ、操作部３４を規制開口に位置させる。操作部３４を規制開口に位置させると、操作アーム３１をＢ方向に回転可能となり、操作アーム３１をＣ方向に回転させると、上支軸２５がコイルバネ２８の付勢に抗して下方に移動し、上支軸２５が上扉支持孔２１ａから抜ける。この状態で、前面扉５を本体枠３から取り外す。【選択図】図５
2008168000.tif 000002
【特許請求の範囲】
【請求項１】
遊技領域が形成された遊技盤を保持する保持枠と、前記保持枠に回転自在に支持される前面扉とを備えた遊技機において、
前記保持枠に設けられ、前記前面扉を回転自在に支持するときの軸受け孔と、
前記前面扉に設けられ、前記軸受け孔に挿入される挿入位置と挿入が解除される挿入解除位置との間で上下方向に移動自在な移動軸と、
前記前面扉に設けられ、前記移動軸を、上下方向に移動自在で、且つ、軸方向を中心に第１方向に回転自在に支持する移動軸支持部と、
前記前面扉に前記移動軸の軸方向に直交する方向を中心に第２方向に回転自在に設けられ、前記移動軸を前記挿入位置と前記挿入解除位置との間で移動させる操作アームと、
前記操作アームに設けられ、前記移動軸に連結する連結部と、
前記操作アームに設けられ、前記操作アームを回転させるときに操作する操作部と、
前記操作アームの前記連結部と前記操作部との間に設けられ、前記第２方向への回転中心となるアーム軸部と、
前記前面扉に設けられ、前記操作アームを、前記アーム軸部を中心に前記第２方向に回転自在で、且つ、前記移動軸の軸心を中心に前記第１方向に回転自在に支持するアーム支持部と、
前記前面扉に設けられ、前記移動軸を前記挿入位置に移動させたときの前記操作アームを前記第１方向に回転したときに前記第２方向に回転不能となるように係止する係止部と、を備えたことを特徴とする遊技機。
【請求項２】
前記移動軸を、前記挿入位置に向けて付勢する付勢手段を備えたことを特徴とする請求項１記載の遊技機。
【請求項３】
前記保持枠に設けられ、前記前面扉を閉じたときに、前記係止部により係止された前記操作アームの前記第１方向への回転を規制する回転規制部を備えたことを特徴とする請求項１または２記載の遊技機。
【請求項４】
前記前面扉に設けられ、前記操作部が挿通され、前記操作部を前記第２方向に回転可能にするとともに前記第１方向への回転を規制する規制開口と、
前記規制開口に連続して形成され、前記操作部を前記第１方向に回転可能にするとともに前記第２方向に回転不能に係止する係止開口と、を備え、
前記係止部を、前記係止開口から構成し、
前記移動軸を前記挿入位置に移動させたときの前記操作アームを前記第１方向に回転したときに、前記操作部は前記係止開口に係止され、前記操作アームは前記第２方向に回転不能となるように係止されることを特徴とする請求項１ないし３いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。パチンコ機には、パチンコ球が打ち出される遊技領域が形成された遊技盤を保持する本体枠と、遊技盤の前面を覆うガラス板を保持した前面扉と、が設けられている。前面扉は、本体枠に開閉（回転）自在に取り付けられている。また、近年では、前面扉にスピーカを取り付けたものが主流となっている。
【０００３】
前面扉は、下面には回転軸となる固定軸ピンが固定され、上面には、本体枠の挿入孔に挿入される挿入位置と挿入が解除される挿入解除位置との間で上下方向に移動自在な移動軸ピンが設けられている。本体枠には、固定軸ピンと移動軸ピンとが挿入される挿入孔が形成されている。移動軸ピンは、略Ｌ字状に形成され、Ｌ字状の一辺が挿入孔に挿入され、他辺は、操作可能に前面扉から露呈しており、移動軸ピンは、バネにより、挿入位置に向けて付勢されている（例えば、特許文献１参照）。
【０００４】
前面扉を本体枠に取り付けるときには、バネの付勢に抗して軸ピンを挿入解除位置まで移動させた状態で、固定軸ピンを本体枠の挿入孔に挿入し、前面扉を本体枠の所定の位置にセットした後、移動軸ピンから手を離す。移動軸ピンから手を離すと、移動軸ピンは、バネの付勢により挿入位置まで移動して本体枠の挿入孔に挿入される。これにより、前面扉は、移動軸ピンを回転軸として本体枠に回転自在に取り付けられる。
【０００５】
本体枠から前面扉を取り外すときには、バネの付勢に抗して移動軸ピンを挿入解除位置まで移動させ、移動軸ピンを本体枠の挿入孔から抜いた後に前面扉を取り外す。
【特許文献１】特開２００５−１６８７１８号公報
【発明の開示】
【発明が解決しようとする課題】
【０００６】
しかしながら、前面扉はガラス板やスピーカが取り付けられているため、その重量が重い。重量の重い前面扉の重みを軸ピンで支えているため、軸ピンと本体枠との摺動抵抗が大きくなり、本体枠から前面扉を取り外すときには、軸ピンを移動させるときの操作性が悪く、取り外し作業の作業性が悪いという問題があった。
【０００７】
本発明は、上記課題を解決するためになされたものであり、本体枠から前面扉を取り外すときの作業性を向上することができる遊技機を提供することを目的とする。
【課題を解決するための手段】
【０００８】
上記目的を達成するために、本発明の遊技機は、遊技領域が形成された遊技盤を保持する保持枠と、前記保持枠に回転自在に支持される前面扉とを備えた遊技機において、前記保持枠に設けられ、前記前面扉を回転自在に支持するときの軸受け孔と、前記前面扉に設けられ、前記軸受け孔に挿入される挿入位置と挿入が解除される挿入解除位置との間で上下方向に移動自在な移動軸と、前記前面扉に設けられ、前記移動軸を、上下方向に移動自在で、且つ、軸方向を中心に第１方向に回転自在に支持する移動軸支持部と、前記前面扉に前記移動軸の軸方向に直交する方向を中心に第２方向に回転自在に設けられ、前記移動軸を前記挿入位置と前記挿入解除位置との間で移動させる操作アームと、前記操作アームに設けられ、前記移動軸に連結する連結部と、前記操作アームに設けられ、前記操作アームを回転させるときに操作する操作部と、前記操作アームの前記連結部と前記操作部との間に設けられ、前記第２方向への回転中心となるアーム軸部と、前記前面扉に設けられ、前記操作アームを、前記アーム軸部を中心に前記第２方向に回転自在で、且つ、前記移動軸の軸心を中心に前記第１方向に回転自在に支持するアーム支持部と、前記前面扉に設けられ、前記移動軸を前記挿入位置に移動させたときの前記操作アームを前記第１方向に回転したときに前記第２方向に回転不能となるように係止する係止部と、を備えたことを特徴とする。なお、前記前面扉は、前記遊技盤を視認可能なガラスが取り付けられている。
【０００９】
また、前記移動軸を、前記挿入位置に向けて付勢する付勢手段を備えることが好ましい。
【００１０】
さらに、前記保持枠に設けられ、前記前面扉を閉じたときに、前記係止部により係止された前記操作アームの前記第１方向への回転を規制する回転規制部を備えることが好ましい。
【００１１】
また、前記前面扉に設けられ、前記操作部が挿通され、前記操作部を前記第２方向に回転可能にするとともに前記第１方向への回転を規制する規制開口と、前記規制開口に連続して形成され、前記操作部を前記第１方向に回転可能にするとともに前記第２方向に回転不能に係止する係止開口と、を備え、前記係止部を、前記係止開口から構成し、前記移動軸を前記挿入位置に移動させたときの前記操作アームを前記第１方向に回転したときに、前記操作部は前記係止開口に係止され、前記操作アームは前記第２方向に回転不能となるように係止されることが好ましい。
【発明の効果】
【００１２】
本発明の遊技機によれば、操作アームを第２方向に回転することにより、移動軸を、支持枠の軸受け孔に挿入される挿入位置と挿入が解除される挿入解除位置との間で上下方向に移動させることができるから、軽い力で移動軸を上下方向に移動させることができ、操作性を向上することができる。さらに、移動軸を挿入位置に移動させたときの操作アームを第１方向に回転させたときに第２方向に回転不能となるように係止部で係止するから、移動軸が挿入位置から挿入解除位置まで移動し、軸受け孔から抜けることを防止することができる。
【００１３】
また、付勢手段により、移動軸を挿入位置に向けて付勢するから、移動軸を軸受け孔に位置合わせした後は、操作アームから手を離すだけで、容易に移動軸を軸受け孔に挿入することができる。これにより、操作性を向上することができる。
【００１４】
さらに、前面扉を閉じたときには、操作アームの第１方向への回転を規制するから、より一層確実に、移動軸が軸受け孔から抜けることを防止することができる。
【発明を実施するための最良の形態】
【００１５】
図１に示すように、遊技機の１実施例であるパチンコ機２は、本体枠（保持枠）３の内部に遊技盤４が配設されており、本体枠３の前面には前面扉５が開閉自在に組み付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。
【００１６】
図柄可変表示装置９の周りには、始動入賞口１０、通常入賞口１１、アタッカ１２、アウト口１３が設けられている。また、遊技盤４の略中央には、センター役物１５が設けられており、センター役物１５に形成された開口１５ａを介して、図柄可変表示装置９を視認することができる。
【００１７】
遊技者は、供給皿６にパチンコ球７を投入してパチンコ球７を供給皿６内に設けられた誘導路を介して球発射装置（図示せず）へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０，１１のいずれかまたはアタッカ１２に入るか、あるいはアウト口１３から回収される。なお、パチンコ機２の遊技領域４ａに設けられている複数の釘、風車などの構造物は公知であるので説明は省略する。
【００１８】
前面扉５は、本体枠３の前面に開閉自在に組み付けられている。前面扉５の内側には、可視可能なガラスが取り付けられている。なお、前面扉５が閉じているロック状態であるときには、遊技者や遊技場の管理者は、ガラスを通して遊技盤４の遊技領域４ａを流下していくパチンコ球７を見ることはできるが、遊技盤４にはもちろんのこと本体枠３の内部にも触れることができないようになっている。
【００１９】
図２に示すように、本体枠３には、前面扉５を開閉（回転）自在に支持するための上扉支持部２１及び下扉支持部２２が設けられている。上扉支持部２１には上扉支持孔（軸受け孔）２１ａが、下扉支持部２２には下扉支持孔２２ａが、それぞれ形成されている。上扉支持孔２１ａは、上支軸（移動軸）２５（図３参照）が挿脱自在となるように上支軸２５の径よりも僅かに大きく形成されている。下扉支持孔２２ａは、下支軸２６（図３参照）が挿脱自在となるように下支軸２６の径よりも僅かに大きく形成されている。また、本体枠３には、前面扉５を閉じたときに、後述する操作部３４に当接し、操作アーム３１のＢ方向（図６参照）への回転を規制するアーム回転規制リブ（回転規制部）２３が形成されている。
【００２０】
図３、図４及び図５に示すように、前面扉５の背面視右上端部には上方に向けて突出した軸心を有する円柱状の上支軸（移動軸）２５が設けられ、背面視右下端部には上支軸２５の軸心と同軸状になるように下方に向けて突出した軸心を有する円柱状の下支軸２６が設けられている。上支軸２５は、上下方向の中心よりも上側の位置に、Ｃリング板２９を取り付けるための取付溝２５ａが形成されている。また、上支軸２５は、上下方向の中心よりも下側の位置に、連結ピン３５が挿通される挿通孔２５ｂが形成されている。挿通孔２５ｂは、連結ピン３５の径よりも僅かに大きい径で形成されている。
【００２１】
前面扉５には、上支軸２５を上下方向に移動自在に支持するための断面略コ字状の移動支持板（移動軸支持部）２７が取り付けられている。移動支持板２７には、上支軸２５の径よりも僅かに大きい径の上ガイド孔２７ａ及び下ガイド孔２７ｂが形成されており、上支軸２５を、上ガイド孔２７ａ及び下ガイド孔２７ｂに挿通させると、上支軸２５は、移動支持板２７に上下方向に移動自在で、且つ、軸方向を中心にＡ方向（第１方向）に回転自在に支持される。
【００２２】
上支軸２５を移動支持板２７に取り付けるときには、上ガイド孔２７ａと下ガイド孔２７ｂとの間にコイルバネ（付勢手段）２８を配した状態で、上支軸２５を各ガイド孔２７ａ，２７ｂ及びコイルバネ２８に挿通する。そして、上支軸２５の取付溝２５ａに、略Ｃ字状のＣリング板２９を取り付ける。これにより、上支軸２５は、本体枠３の上扉支持孔２１ａに挿入される（移動支持板２７の上面から突出する）挿入位置（図５（Ｂ）参照）と、挿入が解除される（上ガイド孔２７ａの内部に収容される）挿入解除位置（図５（Ａ）参照）との間で上下方向に移動自在で、且つ、コイルバネ２８により上方に向けて（挿入位置に向けて）付勢された状態で、移動支持板２７に取り付けられる。
【００２３】
上支軸２５には、板状の操作アーム３１が連結されている。操作アーム３１は、上支軸２５の軸方向に直交する方向を中心にＢ方向（第２方向）に回転自在に設けられている。操作アーム３１は、上支軸２５に連結するアーム連結部３２と、Ｂ方向への回転中心となるアーム軸部３３と、操作アーム３１を回転させるときに操作する操作部３４と、を備える。アーム軸部３３は、アーム連結部３２と操作部３４との間に設けられている。操作アーム３１は、上支軸２５を挿入位置に位置させる挿入回転位置（図５（Ｂ）参照）と、上支軸２５を挿入解除位置に位置させる解除回転位置（図５（Ａ）参照）との間で、Ｂ方向に回転する。
【００２４】
アーム連結部３２は、上支軸２５を挟み込むように形成された第１連結部３２ａ及び第２連結部３２ｂを備え、各連結部３２ａ，３２ｂには、連結ピン３５が挿入される取付孔３２ｃが形成されている。取付孔３２ｃは、連結ピン３５を挿入したときに、圧入状態となる径で形成されている。連結ピン３５を、第１連結部３２ａの取付孔３２ｃ、上支軸２５の挿通孔２５ｂ、第２連結部３２ｂの取付孔３２ｃの順に挿入すると、上支軸２５とアーム連結部３２とが連結される。
【００２５】
アーム軸部３３には、上支軸２５の軸方向に直交する方向に突出した第１アーム軸３３ａ及び第２アーム軸３３ｂが形成されている。操作アーム３１は、第１，第２アーム軸３３ａ，３３ｂを中心にＢ方向に回転するようにされている。なお、第１，第２アーム軸３３ａ，３３ｂに代えて、操作アーム３１とは別部材のシャフトを、アーム軸部３３に取り付けるようにしてもよい。
【００２６】
操作部３４は、操作アーム３１を回転させるときに操作するものであり、前面扉５の後面（規制板４０の後面）から突出するように形成されている。
【００２７】
前面扉５には、第１アーム軸３３ａ及び第２アーム軸３３ｂを回転自在に支持する断面略コ字状のアーム支持板（アーム支持部）３６が２個取り付けられている。アーム支持板３６には、第１アーム軸３３ａ及び第２アーム軸３３ｂが挿入される軸挿入凹部３６ａが形成されている。
【００２８】
図５及び図６に示すように、第１アーム軸３３ａ及び第２アーム軸３３ｂを、各アーム支持板３６の軸挿入凹部３６ａに挿入すると、第１，第２アーム軸３３ａ，３３ｂは、アーム支持板３６により上下方向が位置決めされる。これにより、操作アーム３１は、第１，第２アーム軸３３ａ，３３ｂを中心にＢ方向に回転自在に、アーム支持板３６に支持される。また、第１，第２アーム軸３３ａ，３３ｂは、アーム支持板３６により上下方向が位置決めされるが、前後方向及び左右方向はフリー状態であり、操作部３４を、Ａ方向に回転させると、操作アーム３１は、上支軸２５の軸心を中心にＡ方向に回転する。すなわち、操作アーム３１は、Ａ方向にも回転自在に、アーム支持板３６に支持される。なお、アーム支持板３６を前面扉５とは別部材として設けるのではなく、前面扉５にアーム支持板３６の形状を一体的に形成するようにしてもよい。
【００２９】
操作アーム３１の操作部３４をＢ方向における上側に向けて（以下、Ｃ方向と称する）回転させると、上支軸２５が下方に移動し、操作アーム３１の操作部３４をＢ方向における下側に向けて（以下、Ｄ方向と称する）回転させると、上支軸２５が上方に移動する。上支軸２５は、コイルバネ２８により上方に付勢されているため、操作アーム３１は、操作部３４がＤ方向に付勢される。また、操作部３４をＡ方向に回転させると、操作アーム３１は上支軸２５の軸心を中心にＡ方向に回転する。
【００３０】
図３及び図７に示すように、前面扉５の後面には、操作アーム３１（操作部３４）の回転（Ａ方向及びＢ方向）を規制する規制板４０が取り付けられる。規制板４０には、操作部３４が挿通される規制開口４０ａ及び係止開口４０ｂが形成されている。規制開口４０ａは、操作部３４をＢ方向に回転可能にするとともにＡ方向への回転を規制するように形成されている。係止開口４０ｂは、規制開口４０ａに連結して形成され、操作部３４をＡ方向に回転可能にするとともにＢ方向に回転不能に係止するように形成されている。
【００３１】
図７（Ａ）に示すように、操作部３４が、規制板４０の規制開口４０ａにより形成される上辺に当接すると、操作部３４のＣ方向への回転が規制され、図７（Ｂ）に示すように、操作部３４が、規制板４０の係止開口４０ｂにより形成される下辺に当接すると、操作部３４のＤ方向への回転が規制される。操作部３４のＣ方向への回転が規制された状態では、上支軸２５は、移動支持板２７の上面から突出せずに、上ガイド孔２７ａの内部に収容される。また、操作部３４のＤ方向への回転が規制された状態では、上支軸２５は、移動支持板２７の上面から突出する。
【００３２】
前面扉５を本体枠３に取り付ける場合、先ず、操作部３４をＣ方向に回転させ、上支軸２５を上ガイド孔２７ａの内部に収容させた状態で、下支軸２６を下扉支持孔２２ａに挿入する。次に、上支軸２５を上扉支持孔２１ａの位置に合わせる。そして、操作部３４の操作を解除すると、図７（Ｂ）に示すように、上支軸２５は、コイルバネ２８の付勢により上方に移動して上扉支持孔２１ａに挿入される。これにより、前面扉５は、本体枠３に開閉（回転）自在に取り付けられる。
【００３３】
上支軸２５が、コイルバネ２８により上方に移動されているときには、操作アーム３１は、操作部３４が、規制板４０の係止開口４０ｂにより形成される下辺に当接しており、Ａ方向への回転が可能となる。図７（Ｃ）に示すように、操作部３４を操作して、操作アーム３１を、上支軸２５の軸心を中心にＡ方向に回転させると、操作部３４は、係止開口４０ｂに挿入されて、Ｂ方向に回転不能となる。これにより、振動等により、操作部３４がＣ方向に回転されて、上支軸２５が上扉支持孔２１ａから抜けることを防止することができる。
【００３４】
図８に示すように、前面扉５を閉じると、操作部３４が、本体枠３のアーム回転規制リブ２３に当接し、操作アーム３１は、Ａ方向への回転が規制される。
【００３５】
次に、上記のように構成されたパチンコ機２の作用について説明を行う。前面扉５を本体枠３に取り付ける場合、先ず、操作部３４を操作して操作アーム３１をＣ方向に回転させ、上支軸２５を上ガイド孔２７ａの内部に収容させた状態で、下支軸２６を下扉支持孔２２ａに挿入する。次に、上支軸２５を上扉支持孔２１ａの位置に合わせる。そして、操作部３４の操作を解除すると、上支軸２５は、コイルバネ２８の付勢により挿入位置まで上方に移動して上扉支持孔２１ａに挿入される。これにより、前面扉５は、本体枠３に開閉（回転）自在に取り付けられる。上支軸２５が挿入位置まで移動すると、それに伴い、操作アーム３１は、挿入回転位置（図５（Ｂ）参照）までＤ方向に回転する。
【００３６】
前面扉５を本体枠３に取り付けた後、操作アーム３１をＡ方向に回転させ、操作部３４を係止開口４０ｂに位置させる。操作部３４が係止開口４０ｂに位置されると、操作アーム３１はＢ方向に回転不能となる。そして、前面扉５を閉じると、操作部３４が本体枠３のアーム回転規制リブ２３に当接して、操作アーム３１のＡ方向への回転が規制される。
【００３７】
前面扉５を本体枠３から取り外す場合には、先ず、前面扉５を開放する。次に、操作部３４を操作して、操作アーム３１をＡ方向に回転させて、操作部３４を規制開口４０ａに位置させる。操作部３４を規制開口４０ａに位置させると、操作アーム３１をＢ方向に回転可能となり、操作アーム３１をＣ方向に回転させると、上支軸２５がコイルバネ２８の付勢に抗して下方に移動し、上支軸２５が上扉支持孔２１ａから抜ける。この状態で、前面扉５を本体枠３から取り外す。
【００３８】
このように、操作部３４を操作して操作アーム３１をＢ方向に回転させることにより、上支軸２５が上下方向に移動するようにしたから、軽い力で上支軸２５を上下方向に移動させることができ、前面扉５の本体枠３への着脱時の操作性を向上することができる。
【００３９】
また、操作アーム３１を、挿入回転位置に位置するときにＡ方向に回転させ、操作部３４を係止開口４０ｂに位置させると、操作アーム３１はＢ方向に回転不能となるから、振動等により、操作部３４がＣ方向に回転されて、上支軸２５が上扉支持孔２１ａから抜ける（前面扉５が本体枠３から取り外される）ことを防止することができる。
【００４０】
さらに、前面扉５を閉じたときには、本体枠３のアーム回転規制リブ２３により、操作アーム３１のＡ方向への回転が規制されるから、より一層確実に、上支軸２５が上扉支持孔２１ａから抜けることを防止することができる。
【００４１】
なお、上記実施形態では、操作アーム３１を、前面扉５の左右方向を中心にしてＢ方向に回転するようにしたが、これに限定されることなく、上支軸２５の軸方向（上下方向）に直交する方向を中心に回転自在であればよく、例えば、前面扉５の前後方向を中心にして回転するようにしてもよい。
【００４２】
また、上記実施形態では、前面扉５を本体枠３に回転自在に取り付けたが、前面扉５を扉支持枠に回転自在に取り付け、この扉支持枠を本体枠３に取り付けるようにしてもよい。
【００４３】
さらに、上記実施形態では、上支軸２５と操作アーム３１とを、連結ピン３５により連結したが、連結方法は適宜変更可能であり、例えば、上支軸２５の周面に凸部を設け、この凸部の上面にアーム連結部３２を載せることにより、連結するようにしてもよい。
【００４４】
また、上記実施形態では、係止開口４０ｂにより、操作部３４をＢ方向に回転不能としたが、これに限定されることなく、挿入回転位置に位置する操作アーム３１をＡ方向に回転させたときに、操作部３４をＢ方向に回転不能とすることができればよく、例えば、断面略コ字状の挟持板により操作部３４を挟み込んでＢ方向に回転不能とするようにしてもよい。
【００４５】
さらに、上記実施形態では、コイルバネ２８により、上支軸２５を挿入位置に向けて付勢するようにしたが、コイルバネ２８により、上支軸２５を挿入解除位置に向けて付勢するようにしてもよい。この場合には、操作アーム３１をＡ方向に回転させて、操作部３４を規制開口４０ａに位置させるだけで、上支軸２５を上扉支持孔２１ａから抜くことができる。また、本体枠３に、前面扉５を閉じたときに、操作アーム３１を、解除回転位置から挿入回転位置まで回転させるとともに、挿入回転位置で操作部３４が規制開口４０ｂに位置させるように回転させるガイド部を設けることが好ましい。これにより、下支軸２６を下扉支持孔２２ａに挿入した状態で前面扉５を閉じるだけで、ガイド部により上支軸２５を挿入解除位置から挿入位置まで移動させることができる。
【００４６】
また、上記実施形態では、本体枠３に設けたアーム回転規制リブ２３により、前面扉５を閉じたときに操作アーム３１のＡ方向への回転を規制するようにしたが、アーム回転規制リブ２３に代えて、本体枠３に操作部３４が挿入される開口を形成し、この開口を、操作部３４が挿入されたときに操作アーム３１のＡ方向への回転を規制する形状で形成するようにしてもよい。
【００４７】
さらに、上記実施形態では、遊技機としてパチンコ機２を例に挙げて説明したが、遊技媒体としてメダルを使用するスロットマシンや、遊技媒体としてパチンコ球を使用するスロットマシンなどの各種遊技機についても本発明は適用可能である。
【図面の簡単な説明】
【００４８】
【図１】本発明を実施したパチンコ機の外観を示す斜視図である。
【図２】前面扉を本体枠から取り外した状態のパチンコ機を示す斜視図である。
【図３】前面扉を示す背面斜視図である。
【図４】上支軸と移動支持板とＣリング板と操作アームと取付ピンとアーム支持板とを示す分解斜視図である。
【図５】上扉支持部と上支軸と移動支持板とコイルバネとＣリング板と操作アームと連結ピンとアーム支持板と規制板とを示す側面断面図である。
【図６】上支軸と操作アームとアーム支持板と規制板とを示す上面断面図である。
【図７】上支軸と移動支持板と操作アームと規制板とを示す背面斜視図である。
【図８】上支軸と操作アームとアーム支持板と規制板とアーム回転規制リブとを示す上面断面図である。
【符号の説明】
【００４９】
２  パチンコ機（遊技機）
３  本体枠（保持枠）
４  遊技盤
５  前面扉
１０  始動入賞口
２１ａ  上扉支持孔（軸受け孔）
２３  アーム回転規制リブ（回転規制部）
２５  上支軸（移動軸）
２７  移動支持板（移動軸支持部）
２８  コイルバネ（付勢手段）
３１  操作アーム
３２  アーム連結部（連結部）
３３  アーム軸部
３３ａ  第１アーム軸
３３ｂ  第２アーム軸
３４  操作部
３６  アーム支持板（アーム支持部）
４０  規制板
４０ａ  規制開口
４０ｂ  係止開口
【図１】
2008168000.tif 000003
【図２】
2008168000.tif 000004
【図３】
2008168000.tif 000005
【図４】
2008168000.tif 000006
【図５】
2008168000.tif 000007
【図６】
2008168000.tif 000008
【図７】
2008168000.tif 000009
【図８】
2008168000.tif 000010